(57)【要約】【課題】読影レポート内を目視で探索することなく、医用画像がその読影レポートにリンク付けされているかを認識することのできるレポート表示装置を提供する。【解決手段】レポート表示装置は、レポートデータを解析してレポートデータの要旨を作成し、このレポートデータを解析して医用画像のリンク情報が存在すれば、リンク情報の存在を示す表示を要旨に付加し、レポートデータの表示とは別に、リンク情報の存在を示す表示が付加された要旨を表示する。【選択図】図２
2010122836.tif 000002
【特許請求の範囲】
【請求項１】
レポートデータを表示するレポート表示装置であって、
前記レポートデータを解析してレポートデータの要旨を作成する要旨作成手段と、
前記レポートデータを解析して医用画像のリンク情報が存在すれば、リンク情報の存在を示す表示を前記要旨に付加するリンク解析手段と、
前記レポートデータの表示とは別に、前記リンク情報の存在を示す表示が付加された前記要旨を表示する表示制御手段と、
を備えること、
を特徴とするレポート表示装置。
【請求項２】
前記リンク解析手段は、前記リンク情報の存在を示す表示に前記医用画像をリンク付けし、
前記表示制御手段は、前記リンク情報の存在を示す表示が選択されると、それにリンク付けされている医用画像を表示すること、
を特徴とする請求項１記載のレポート表示装置。
【請求項３】
前記要旨作成手段は、前記レポートデータを形態素解析することにより、前記要旨として、各センテンスから各種単語若しくはその単語を示す代表単語を抽出し、
前記リンク解析手段は、
前記抽出手段により抽出された各単語の前記レポートデータ中の出現位置及び範囲をカウントするカウント手段と、
前記レポートデータ中の前記出現位置及び範囲のデータに対する前記リンク情報の存在を探索するリンク探索手段と、
を含み、
前記表示制御手段は、
前記要旨作成手段で抽出された単語若しくは代表単語をセンテンス毎及び単語の種類毎に並べた表を作成する表作成手段と、
前記リンク探索手段で検出された前記リンク情報の存在を示す表示を、そのリンク情報が関連づけられていた単語を含むセンテンスの行に付加するリンク付加手段と、
を含むこと、
を特徴とする請求項１又は２記載のレポート表示装置。
【発明の詳細な説明】
【技術分野】
【０００１】
本発明は、読影レポートの要旨を表示するレポート表示装置に関する。
【背景技術】
【０００２】
医療行為は、専門分野が細分化されているため、Ｘ線ＣＴ装置やＭＲＩ装置等の画像診断装置で撮影した医用画像の読影を専門医に依頼することが広く行われる。専門医たる読影医は、依頼された読影対象の医用画像をモニタに表示させて読影し、その読影結果を読影レポートにまとめる。
【０００３】
近年の電子化により読影レポートも電子化されており、読影レポートを電子データとして作成するレポート作成システムも提供されている。読影医は、レポート作成システムに備えられたキーボードを用いて文字データを入力し、読影レポートを作成する。また、読影対象や比較対象とした医用画像、及び文字データをマウスやキーボードを用いて指定し、指定された医用画像を同じく指定した文字データにリンク付けする。
【０００４】
このようなレポート作成においては、過去に作成された読影レポートを参照する場合が多い。読影医は、過去に作成された読影レポートをモニタに表示させて閲覧し、読影レポート作成の参考とする。この読影レポートの閲覧態様について図１０に示すフローチャートに基づき説明する。
【０００５】
図９に示すように、まず読影医は、レポートを表示する画面をモニタに表示させ、参照対象となる読影レポートをこの画面中に表示させる（Ｓ４１）。そして、表示された読影レポートが所望するレポートであるかどうかをそのレポートの情報主体である患者の氏名や検査を示す検査付帯情報や所見内の文章を基に確認する（Ｓ４２）。
【０００６】
さらに、その読影レポートの概略をつかむために、キーボードやマウスを操作して要旨を表示させるためのアイコンを押下し、レポートを表示する装置に参照対象たる読影レポートの要旨を作成させ、その要旨をモニタに表示させる（Ｓ４３）。この要旨が表示されると、読影医は、その要旨から読影レポートの概要を把握する（Ｓ４４）。
【０００７】
要旨の作成では、一般的にテキストデータマイニングの手法を用いて読影レポートの文章を解析することで、文章をその要素である単語に分解し、その単語を種類別に区別して整理する（例えば、「特許文献１」、「特許文献２」参照。）。即ち、「胸部ＣＴでは、右上葉は切除されている。」とのセンテンスが読影レポート中に存在すれば、このセンテンスから部位を修飾する単語である「右」、部位を示す単語である「上葉」、所見や診断の内容を表わす単語である「切除」、確定度を示す単語である「断定」に分解し、センテンス毎に表形式で並べた要旨を作成する。
【０００８】
次に、読影レポートに医用画像がリンク付けされていれば、その医用画像を閲覧したい場合、読影医は、表示された要旨を閉じ（Ｓ４５）、読影レポートの画面に戻って（Ｓ４６）、マウス等を操作しながら読影レポートをスクロールさせることで、読影レポート中にリンク付けがされていることを示す目印が存在するか目視にて探索する（Ｓ４７）。一般的に、リンク付けがなされている箇所は、アンダーラインと色による目印が付されている。
【０００９】
リンク付けが発見されると、読影医は、そのリンク付けがされている箇所を含むセンテンス等を精読し、必要な医用画像がリンク付けされているか確認する（Ｓ４８）。読影の参考として必要な医用画像がリンク付けされていれば、そのリンク箇所をカーソル等で押下し、Ｗｅｂブラウザを起動させて、リンク付けされている医用画像を表示させる（Ｓ４９）。
【００１０】
このように、従来の読影レポートを基に作成された要旨においては、医用画像がリンク付けされているかわからないため、医用画像のリンク付けがなされているか判断するためには、要旨を閉じて、読影レポートからリンク付けがされていることを示す目印を探さなくてはならない。従って、このリンクの探索という読影とは直接関係のない作業を行わなくてはならず、読影効率の低下が指摘されていた。
【００１１】
【特許文献１】特開２００６−２９３４７１号公報
【特許文献２】特開２００７−２５２６０９号公報
【発明の開示】
【発明が解決しようとする課題】
【００１２】
本発明は、上記事情に鑑みてなされたものであり、その目的とするところは、要旨を作成するにあたって、読影レポート内を目視で探索することなく、医用画像がその読影レポートにリンク付けされているかを認識することのできるレポート表示装置を提供することにある。
【課題を解決するための手段】
【００１３】
上記課題を解決する請求項１記載の発明に係るレポート表示装置は、レポートデータを表示するレポート表示装置であって、前記レポートデータを解析してレポートデータの要旨を作成する要旨作成手段と、前記レポートデータを解析して医用画像のリンク情報が存在すれば、リンク情報の存在を示す表示を前記要旨に付加するリンク解析手段と、前記レポートデータの表示とは別に、前記リンク情報の存在を示す表示が付加された前記要旨を表示する表示制御手段と、を備えること、を特徴とする。
【００１４】
前記リンク解析手段は、前記リンク情報の存在を示す表示に前記医用画像をリンク付けし、前記表示制御手段は、前記リンク情報の存在を示す表示が選択されると、それにリンク付けされている医用画像を表示するようにしてもよい（請求項２記載の発明に相当）。
【００１５】
前記要旨作成手段は、前記レポートデータを形態素解析することにより、前記要旨として、各センテンスから各種単語若しくはその単語を示す代表単語を抽出し、前記リンク解析手段は、前記抽出手段により抽出された各単語の前記レポートデータ中の出現位置及び範囲をカウントするカウント手段と、前記レポートデータ中の前記出現位置及び範囲のデータに対する前記リンク情報の存在を探索するリンク探索手段と、を含み、前記表示制御手段は、前記要旨作成手段で抽出された単語若しくは代表単語をセンテンス毎及び単語の種類毎に並べた表を作成する表作成手段と、前記リンク探索手段で検出された前記リンク情報の存在を示す表示を、そのリンク情報が関連づけられていた単語を含むセンテンスの行に付加するリンク付加手段と、を含むようにしてもよい（請求項３記載の発明に相当）。
【発明の効果】
【００１６】
請求項１に係る本発明によれば、レポート表示装置では、読影医が、読影レポートをスクロールさせながら医用画像のリンクを探すことなく、リンクが存在することがわかるため、無用な作業に煩わされず、読影に集中できその効率が向上する。
【００１７】
請求項２に係る本発明によれば、読影医が、要旨を閉じる操作を行い、読影レポートをスクロールさせながら医用画像のリンクを探すことなく、リンク付けされた医用画像を閲覧することができるため、読影に集中できその効率が向上する。
【００１８】
請求項３に係る本発明によれば、リンク付けがされているセンテンスに要旨中で関連づけてリンク情報の存在示す表示を付加するため、医用画像が指し示す内容も予め認識することができ、無用な医用画像を表示してしまうことを防ぐことができ、読影効率が更に向上する。
【発明を実施するための最良の形態】
【００１９】
本発明に係るレポート表示装置の好適な実施形態について、図面を参照しながら具体的に説明する。
【００２０】
図１は、レポート表示装置１を含むネットワーク構成を示す図である。
【００２１】
レポート表示装置１は、レポート保管装置２と画像保管装置３とにネットワークＮを介して接続されている。レポート表示装置１、レポート保管装置２、及び画像保管装置３は、演算制御部（ＣＰＵ：Central Processing Unit）、主記憶部（ＲＡＭ：Random Access Memory）、外部記憶部（ＨＤＤ：Hard Disk Drive）、通信コントローラを有する所謂コンピュータである。
【００２２】
ネットワークＮは、電子データの伝送が可能な電子通信回線である。例えば電話回線網、ＩＳＤＮ、ＦＤＤＩ、専用線、移動体通信網、通信衛星回線、ＣＡＴＶ、ＬＡＮ等、又はこれらの複合が採用される。演算制御部は、プログラムを解読及び実行して、データの演算及び装置の制御をする。主記憶部は、演算制御部のワークエリアであり、プログラムが展開され、演算結果や読み出されたデータの一時記憶をする。外部記憶部は、ＯＳ（オペレーティングシステム）及び読影レポート作成のための各自のプログラムが記憶されている。通信コントローラは、ネットワークＮと直接接続し、例えばＷＷＷ（ワールド・ワイド・ウェブ）やＴＣＰ／ＩＰプロトコル等のデータ通信制御によりネットワークＮを介して行なうデータ通信を制御する。
【００２３】
このレポート表示装置１は、読影医が操作部１ｂを用いて入力した文字データをモニタ１ａのレポート作成画面に表示された読影レポートに配列したり、入力された文字データに医用画像をリンク付けしたりするレポート作成機能と、過去に作成された読影レポートを閲覧のためにモニタ１ａに表示するレポート表示機能と、過去に作成された読影レポートにリンク付けされた医用画像を閲覧のためにモニタ１ａに表示する画像表示機能とを有する。文字データには、文字のほか、記号や数字等のデータも含まれる。リンク付けとは、医用画像の保管先と文字データ群とを結びつける処理である。過去の医用画像と読影対象の医用画像とが比較対照としてリンク付けされることが一般的である。
【００２４】
医用画像は、Ｘ線ＣＴ装置やＭＲＩ装置等の医用画像診断装置で被検体を撮影して得た被検体内を表わすデータを基にした画像である。読影レポートは、医用画像を読影した結果を纏めたドキュメントデータである。操作部１ｂは、キーボードやマウスやトラックボール等のマンマシン入力インターフェースであり、モニタ１ａは、液晶ディスプレイや有機ＥＬディスプレイやＣＲＴディスプレイ等のマンマシン出力インターフェースである。尚、モニタ１ａは、レポートを表示するディスプレイと、医用画像を表示するディスプレイとの２台が接続されていてもよい。
【００２５】
レポート保管装置２には、過去の読影レポートが記憶されている。レポート表示装置１は、ネットワークＮを介してレポート保管装置２から過去の読影レポートを受信する。画像保管装置３には、過去に撮影した医用画像が記憶されている。レポート表示装置１は、ネットワークＮを介してレポート保管装置２から医用画像を受信する。
【００２６】
一般的に、読影レポートの作成の際には、過去の類似症例についての読影レポートを参照する場合が多い。このレポート表示装置１では、レポート表示機能において、要旨表示機能と、全体表示機能とを有する。
【００２７】
全体表示機能のアイコンが選択されると、過去の読影レポートの全体をモニタ１ａに表示する。要旨表示機能のアイコンが選択されると、過去の読影レポートの要旨をデータマイニング解析により作成してモニタ１ａに表示する。このとき、要旨には、解析した読影レポートに医用画像へのリンクが含まれているか否かを含める。医用画像へのリンクが存在すれば、作成した要旨に医用画像へのリンクを示すアイコンＩ
（図６参照）を付加する。アイコンＩには、医用画像へのリンク先のアドレスであるリンク情報Ｌ（図４参照）を用いて当該医用画像をリンク付けしておき、当該アイコンＩがマウス等を用いた選択されれば、画像保管装置３から医用画像を受信して、ＷｅｂブラウザＢ（図８ｂ参照）等のビューアによりモニタ１ａに表示する。
【００２８】
図２は、レポート表示装置１の構成を示すブロック図である。
【００２９】
レポート表示装置１は、モニタ１ａと操作部１ｂの他、入力インターフェース１０、レポート作成部１１、記憶部１２、要旨作成部１３、辞書データ記憶部１４、カウント部１５、リンク探索部１６、リンク付加部１７、及び表示制御部１８を備える。
【００３０】
レポート作成部１１は、レポート作成機能として動作し、読影レポートのデータに文字データを記録する。操作部１ｂに配列されたキーには、各種の文字データが対応づけられている。読影医が各キーを押下すると、レポート作成部１１は、そのキーに対応する文字データを読影レポートのデータに記録する。
【００３１】
読影レポートには、レポート情報と文字データの配列が記録される。文字データは、ＨＴＭＬ方式やＸＭＬ方式等の規則に応じて配列されている。レポート情報は、レポートを特定する情報であり、患者ＩＤ、検査種別情報、検査部位情報が含まれている。検査種別情報は、Ｘ線ＣＴやＭＲＩ等の読影対象となる医用画像の撮影方法の種類を示す。検査部位情報は、頭部や腹部等の検査された被検体の部位を示す。文字データの配列は、テキストの種別を定義するタグで囲まれている。読影レポートには、診断名を意味するタグや所見を意味するタグが付されている。レポート作成部１１は、この診断や所見を意味するタグで囲まれた領域に文字データを記録していく。
【００３２】
また、レポート作成部１１は、読影レポートのデータに医用画像のリンク情報Ｌを記録する。具体的には、読影レポート中の選択された文字データを、選択された医用画像の保管先を示すリンク情報Ｌを含むタグで囲む。
【００３３】
記憶部１２は、ネットワークＮを通じて受信した過去の読影レポートのデータを一時的に記憶する。過去の読影レポートは、操作部１ｂの操作に応じてレポート保管装置２からネットワークＮを通じて送信される。操作部１ｂを用いて、過去の読影レポートを特定するための患者ＩＤや診断日時等が入力されると、レポート保管装置２のデータベース管理システムにより該当する一覧が送信され、その一覧から一の読影レポートを選択すると、その選択された読影レポートのデータがレポート保管装置２から送信される。
【００３４】
要旨作成部１３は、テキストマイニング手法を用いた形態素解析により、読影レポートのデータを解析し、その要旨を作成する。形態素解析は、センテンスの構造やセンテンスを構成する各単語の配置位置や配置関係から、その各単語の種類を判別する手法である。要旨は、文章として記載されている読影レポートからセンテンス毎に特定種類の意味内容を有する単語のみ又はその代表単語を抽出し、その種類毎に整理したものである。
【００３５】
特定種類の意味内容を有する単語とは、部位を意味する部位単語Ｗｂ、部位を修飾する部位修飾単語Ｗｂｓ、所見又は診断内容を意味する所見単語Ｗｓ、所見単語Ｗｓを修飾する所見修飾単語Ｗｓｓ、確信度を意味する確信単語である。代表単語とは、同様の意味内容を表わす類義語のうちの一の単語である。確信単語については、その確信単語が意味する確信度に対応して確信度を表わす確信度単語Ｗｋに置き換える。
【００３６】
この要旨作成部１３は、形態素解析において、辞書データ記憶部１４に記憶されている辞書データを用いる。辞書データ記憶部１４には、各種の医用用語が部位単語Ｗｂ、部位修飾単語Ｗｂｓ、所見単語Ｗｓ、所見修飾単語Ｗｓｓ、及び確信単語をそれぞれ区別して記録した辞書データが記録されている。また、辞書データには、同じ意味内容を表わす部位単語Ｗｂ、部位修飾単語Ｗｂｓ、所見単語Ｗｓ、及び所見修飾単語Ｗｓｓの代表単語が記録されており、確信単語には、その確信単語が意味する確信度に応じた確信度単語Ｗｋが対応づけられて記録されている。
【００３７】
要旨作成部１３は、この辞書データに記録されている各種単語をセンテンス毎にマッチングしていき、センテンス毎に部位単語Ｗｂ、部位修飾単語Ｗｂｓ、所見単語Ｗｓ、所見修飾単語Ｗｓｓ、及び確信単語を抽出すする。代表単語が存在する場合には、抽出した単語を代表単語に置き換え、確信単語については、その確信単語に対応づけられている確信度単語Ｗｋに置き換えていく。同一センテンスに複数種類の部位単語Ｗｂ、部位修飾単語Ｗｂｓ、所見単語Ｗｓ、所見修飾単語Ｗｓｓ、及び確信単語が存在する場合には、そのセンテンスを複数通りに分解して抽出する。
【００３８】
要旨作成部１３は、抽出した単語を例えば、ＸＭＬデータ等のように、それぞれの単語の種類を表わすデータと関連づけ、かつ同一センテンスから抽出された単語を関連づけた要旨ファイルを作成する。即ち、要旨作成部１３は、抽出した単語をセンテンス毎及び単語の種類に整理した要旨を示すファイルを作成する。ＸＭＬファイルを作成する場合には、同一センテンスから抽出された単語群は、そのセンテンスを表わすタグで囲み、各単語については、その単語の種類を表わすタグで囲む。
【００３９】
カウント部１５は、要旨作成部１３が抽出した各単語の読影レポートのデータ中の出現位置及び範囲をカウントする。このカウント部１５は、要旨を示すファイルに記録されている各単語を読影レポートのデータに当てはめていき、当てはまる位置が読影レポートのデータ中の何文字目から始まり、何文字に亘るかをカウントする。この出現位置のカウントについては、読影レポートのデータ中のタグ等の直接的に読影レポートに現れないデータもカウント対象とする。カウント部１５は、カウントされた出現位置及び範囲を示す位置範囲情報Ｐｏを、カウント対象となった単語と関連づけて要旨のファイルに記録する。
【００４０】
リンク探索部１６は、読影レポートのデータからリンク情報Ｌを探索する。リンク情報Ｌの探索先は、読影レポートのデータ中の位置範囲情報Ｐｏで定められた位置及び範囲の文字データに関する。この位置範囲情報Ｐｏが示す位置から始め、位置範囲情報Ｐｏが示す文字数分の各文字データにリンク情報Ｌが存在するか判断していく。リンク情報Ｌが存在すれば、そのリンク情報Ｌと存在するセンテンスを示す情報とを関連づける。
【００４１】
表示制御部１８は、リンク付加部１７を含んで構成される。表示制御部１８は、要旨ファイルを基に要旨を表形式にレイアウトしてモニタ１ａに表示させる。リンク付加部１７は、レイアウトされた要旨に対してリンク情報Ｌが存在することを示すアイコンＩを付加し、モニタ１ａに表示させる。アイコンＩは、リンク情報Ｌに関連づけられたセンテンスを示す情報に対応するセンテンスの行内に付加される。リンク付加部１７は、このアイコンＩにリンク情報Ｌを関連づけておく。
【００４２】
また、表示制御部１８は、アイコンＩが操作部１ｂを用いて押下されると、そのアイコンＩに関連づけられているリンク情報Ｌに対応する医用画像をモニタ１ａに表示させる。即ち、表示制御部１８は、Ｗｅｂブラウザでもある。この表示制御部１８は、押下されたアイコンＩに関連づけられたリンク情報Ｌが示す保管先に存在する医用画像の送信要求を画像保管装置３に送信し、受信した医用画像をＷｅｂブラウザ上に表示させる。
【００４３】
このようなレポート表示装置１の要旨作成動作について図３のフローチャートに基づき説明する。図４は、読影レポートのデータの具体例である。図５は、要旨ファイルの模式図である。図６は、表示される要旨の具体例である。
【００４４】
まず、入力インターフェース１０は、検索により該当した読影レポートのデータをレポート保管装置２から受信し（Ｓ０１）、記憶部１２に記憶させる（Ｓ０２）。検索においては、操作部１ｂを用いた単語等のキーワードの入力により、その入力されたキーワードを含む読影レポートの一覧がレポート保管装置２より送信され、その一覧から一の読影レポートを選択すると、その読影レポートがレポート保管装置２から送信される。
【００４５】
読影レポートのデータが記憶部１２に記憶され、要旨作成の操作が操作部１ｂを用いて行われると（Ｓ０３）、要旨作成部１３は、記憶部１２に記憶されている読影レポートの要旨を示すファイルを作成する（Ｓ０４）。
【００４６】
Ｓ０４において、具体的には、図４の読影レポートに示されるように、第２センテンスＳ２に「胸部ＣＴでは、右上葉は切除されている。」との記載、第３センテンスＳ３に「右の肺尖には、ほとんどそまらない軟部組織がある」との記載があるものとする。このとき、まず、「右上葉」なる語句を読み出し、その語句が辞書データ記憶部１４の辞書データに存在するか判断する。
【００４７】
「右上葉」の一部である「上葉」が部位単語Ｗｂとして辞書データに存在すれば、「上葉」を第２センテンスＳ２の部位単語Ｗｂとして抽出する。そして、図５に示すように、要旨ファイルにこの「上葉」なる文字データを記録する。この「上葉」なる文字データの記録においては、第２センテンスＳ２を示すタグで囲まれる範囲内に、部位単語Ｗｂを示すタグで囲んで記録する。
【００４８】
また、「上葉」に付帯している「右」なる文字データについては部位修飾単語Ｗｂｓの辞書データに存在すれば、この「右」を第２センテンスＳ２の部位修飾単語Ｗｂｓとして抽出する。そして、図５に示すように、この「右」なる文字データを第２センテンスＳ２を示すタグで囲まれる範囲内に、部位修飾単語Ｗｂｓを示すタグで囲んで記録する。
【００４９】
同様にして、「切除」なる文字データについても、辞書データを用いて抽出して、第２センテンスＳ２を示すタグで囲まれる範囲内に、所見単語Ｗｓを示すタグで囲んで記録する。また、「されている」なる文字データについては、確信単語の辞書データに含まれ、かつ確信度単語Ｗｋとして「断定」が関連づけられているものとすると、この「断定」が要旨ファイルに記録される。
【００５０】
また、第３センテンスＳ３の「ほとんど」なる文字データについては、所見修飾単語Ｗｓｓの辞書データに類義語の一種として含まれ、かつその代表単語として「わずかな」が対応づけられていれば、この「わずかな」なる文字データを、第３センテンスＳ３を示すタグで囲まれる範囲内に、所見修飾単語Ｗｓｓを示すタグで囲んで記録する。
【００５１】
要旨ファイルが作成されると、カウント部１５は、要旨ファイルに記録されている各単語の読影レポートのデータにおける位置及び文字数をカウントし（Ｓ０５）、その単語に関連づけて位置範囲情報Ｐｏを要旨ファイルに記録する（Ｓ０６）。
【００５２】
Ｓ０５及びＳ０６において、具体的には、要旨ファイルから単語を読みだし、その単語が読影レポートのデータ中の何文字目から何文字に亘り存在しているかを読影レポートのデータの初めからカウントしていく。例えば、「上葉」なる文字データは、図４に示す読影レポートの３０文字目から始まり、２文字に亘り存在しているため、図５に示すように、位置が３０文字目及び範囲が２文字を示す位置範囲情報Ｐｏを、この「上葉」なる文字データに関連づけて要旨ファイルに記録する。この単語が存在する位置及び範囲のカウントを要旨ファイルに記録された単語毎に行っていく。
【００５３】
位置範囲情報Ｐｏを記録すると、リンク探索部１６は、要旨ファイル内の各センテンスの各単語に関連づけられた位置範囲情報Ｐｏを順々に読み出し（Ｓ０７）、その位置範囲情報Ｐｏが示す位置及び範囲に存在する文字データにリンク情報Ｌが存在するか判断する（Ｓ０８）。存在していれば（Ｓ０８，Ｙｅｓ）、そのリンク情報Ｌを読み出した位置範囲情報Ｐｏが関連づけられている単語に関連づけて要旨ファイルに記録しておく（Ｓ０９）。この処理を各センテンスの各単語について行い、最終センテンス、最終単語までこの処理を行うと（Ｓ１０，Ｙｅｓ）、次の処理にうつる。
【００５４】
Ｓ０８及びＳ０９において、具体的には、要旨ファイルから位置範囲情報Ｐｏを読み出し、読影レポートのデータ中の位置範囲情報Ｐｏが示す位置から順に位置範囲情報Ｐｏで示される範囲内にリンク情報Ｌが存在するか判断する。具体的には、「上葉」なる部位単語Ｗｂには、３０文字目から２文字分に亘りその単語が記録されていることを示す位置範囲情報Ｐｏが対応づけられている。この位置範囲情報Ｐｏを基に読影レポートの３０文字目のデータの直後、及び３１文字目のデータの直後にリンク情報Ｌが存在するか判断する。３１文字目である「葉」の後には、図４に示すようにリンク情報Ｌが存在する。そのため、このリンク情報Ｌを「上葉」が含まれる第２センテンスＳ２と関連づけて記録しておく。
【００５５】
この関連づけは、そのリンク情報Ｌが存在するセンテンスとリンク情報Ｌの内容が認識できれば、いずれの態様で記録しておいてもよく、例えば、主記憶部にセンテンスを示す情報とリンク情報Ｌを関連づけて展開しておいてもよいし、図５に示すように要旨ファイルの該当センテンスのタグで囲まれた範囲内にリンク情報Ｌを追記しておいてもよい。
【００５６】
リンク情報Ｌを取得すると、表示制御部１８では、図６に示すように、要旨ファイルを基に要旨を表形式でレイアウトする（Ｓ１１）。さらに、リンク付加部１７は、図６に示すように、記録したリンク情報Ｌの存在を示すアイコンＩを、レイアウトした要旨の表中の関連づけられているセンテンスの脇に付加する（Ｓ１２）。そして、モニタ１ａは、このリンク情報Ｌの存在を示すアイコンＩが付加された要旨を表示する（Ｓ１３）。
【００５７】
このモニタ１ａに表示された要旨により、読影レポートの概略が理解可能となると共に、その読影レポートにリンク付けがなされていることが認識可能となる。
【００５８】
次に、このモニタ１ａに表示された要旨から医用画像を表示させる動作を図７に基づき説明する。図８は、この動作においてモニタ１ａに表示される各表示物の態様を示す図である。
【００５９】
図８（ａ）に示すように、モニタ１ａに表示されている要旨内のアイコンＩ上にカーソルＣをおき、操作部１ｂを用いてこのアイコンＩを押下すると（Ｓ２１）、表示制御部１８は、アイコンＩに関連づけられているリンク情報Ｌの保管先に存在する医用画像の送信要求を入力インターフェース１０及びネットワークＮを介してレポート保管装置２へ送信する（Ｓ２２）。レポート保管装置２は、この保管先に存在する医用画像をネットワークＮを介してレポート表示装置１に送信する。
【００６０】
医用画像を受信すると（Ｓ２３）、表示制御部１８は、図８（ｂ）に示すように、ＷｅｂブラウザＢを起動させて（Ｓ２４）、この受信した医用画像をモニタ１ａに表示させる（Ｓ２５）。
【００６１】
このようなレポート表示装置１を使用した場合の医用画像閲覧の流れを図９に示す。本実施形態のレポート表示装置１を使用する場合、まず読影医は、レポートを表示する画面をモニタ１ａに表示させ、参照対象となる読影レポートをこの画面中に表示させる（Ｓ３１）。そして、表示された読影レポートが所望するレポートであるかどうかをそのレポートの情報主体である患者の氏名や検査を示す検査付帯情報や所見内の文章を基に確認する（Ｓ３２）。
【００６２】
さらに、その読影レポートの概略をつかむために、操作部１ｂを操作して要旨を表示させるためのアイコンを押下し、リンク情報Ｌの存在を示すアイコンＩが付加された要旨をモニタ１ａに表示させる（Ｓ３３）。そして、その要旨から読影レポートの概要を把握する（Ｓ３４）。
【００６３】
次に、アイコンＩが表示されており、読影レポート内にリンク付けされた医用画像を閲覧したい場合、その要旨中に存在するアイコンＩを操作部１ｂを用いて押下し、リンク付けされている医用画像をＷｅｂブラウザ上に表示させる（Ｓ３５）。
【００６４】
このように、本実施形態のレポート表示装置１では、読影医が、要旨を閉じる操作を行い、読影レポートをスクロールさせながら医用画像のリンクを探すことなく、リンク付けされた医用画像を閲覧することができるため、読影に集中できその効率が向上する。
【００６５】
また、リンク付けがされているセンテンスに関連づけてアイコンＩを表示するため、その医用画像が指し示す内容も予め認識することができ、無用な医用画像を表示してしまうことを防ぐことができ、読影効率が更に向上する。
【図面の簡単な説明】
【００６６】
【図１】レポート表示装置を含むネットワーク構成を示す図である。
【図２】レポート表示装置の構成を示すブロック図である。
【図３】レポート表示装置の要旨作成動作を示すフローチャートである。
【図４】読影レポートのデータの具体例である。
【図５】要旨ファイルの模式図である。
【図６】表示される要旨の具体例である。
【図７】モニタに表示された要旨から医用画像を表示させる動作をフローチャートである。
【図８】モニタに表示される各表示物の態様を示す図である。
【図９】レポート表示装置を使用した場合の医用画像閲覧の流れを示すフローチャートである。
【図１０】従来のレポート表示装置を使用した場合の医用画像閲覧の流れを示すフローチャートである。
【符号の説明】
【００６７】
１  レポート表示装置
１ａ  モニタ
１ｂ  操作部
１０  入力インターフェース
１１  レポート作成部
１２  記憶部
１３  要旨作成部
１４  辞書データ記憶部
１５  カウント部
１６  リンク探索部
１７  リンク付加部
１８  表示制御部
２  レポート保管装置
３  画像保管装置
Ｎ  ネットワーク
Ｓ２，Ｓ３  センテンス
Ｗｂ  部位単語
Ｗｂｓ  部位修飾単語
Ｗｓ  所見単語
Ｗｓｓ  所見修飾単語
Ｌ  リンク情報
Ｐｏ  位置範囲情報
Ｉ  アイコン
Ｃ  カーソル
Ｂ  Ｗｅｂブラウザ
【図１】
2010122836.tif 000003
【図２】
2010122836.tif 000004
【図３】
2010122836.tif 000005
【図４】
2010122836.tif 000006
【図５】
2010122836.tif 000007
【図７】
2010122836.tif 000008
【図９】
2010122836.tif 000009
【図１０】
2010122836.tif 000010
【図６】
2010122836.tif 000011
【図８】
2010122836.tif 000012